(57)【要約】【課題】混色光の状態を把握することが可能なカラー位相調整システムを提供する。【解決手段】照射される光のうち調整対象光以外の光を透過させる光学フィルタ２２は、投写レンズ２１が出射する画像光が光学フィルタ２２に照射されるように、カラーホイール１４より下流の光路に配置される。【選択図】図１
2015075674.tif 000002
【特許請求の範囲】
【請求項１】
単色光である第１色光、第２色光および第３色光を含む白色光に対し時分割で色分離を行うことによって画像光をスクリーンに投写する投写型画像表示装置と、照射される光のうち調整対象の前記単色光以外の光を透過させる光学フィルタとを含むカラー位相調整システムであって、
前記投写型画像表示装置は、
前記白色光を出射する光源と、
前記白色光の光路中に設けられたカラーホイールと、を備え、
前記カラーホイールには、前記第１色光、前記第２色光および前記第３色光を、それぞれ透過させる第１色フィルタ、第２色フィルタおよび第３色フィルタが配置され、
前記投写型画像表示装置は、さらに、
前記カラーホイールから出射される出力色光を使用して、該出力色光で構成される前記画像光を生成する機能を有する画像生成素子と、
前記画像生成素子により生成された前記画像光が前記スクリーンに投写されるように、該画像光を出射する投写レンズとを備え、
前記光学フィルタは、前記投写レンズが出射する前記画像光が該光学フィルタに照射されるように、前記カラーホイールより下流の光路に配置される
カラー位相調整システム。
【請求項２】
前記光学フィルタは、前記投写レンズにおける前記画像光の出射側に配置される
請求項１に記載のカラー位相調整システム。
【請求項３】
前記カラーホイールは、前記単色光と、前記第１色光、前記第２色光および前記第３色光の少なくとも２つが混ざった複数色光とを交互に、前記出力色光として出射し、
前記画像生成素子では、該画像生成素子が前記画像光を生成するオン期間と、前記画像生成素子が前記画像光を生成しないオフ期間とが交互に繰り返され、
前記オフ期間が発生しているタイミングが、前記画像光の生成に使用される前記出力色光を前記単色光とするための規定タイミングでないことにより、該出力色光が前記複数色光である場合、前記スクリーンのうち前記画像光が投写されている面には、前記複数色光の色を示す複数色領域が発生し、
前記カラー位相調整システムは、さらに、
前記複数色領域内における、測定のための測定領域に配置され、該測定領域の照度を測定する照度計を含み、
前記投写型画像表示装置は、さらに、
前記オフ期間が発生するタイミングを調整するためのディレイ時間を変化させる機能を有する制御部を備え、
前記制御部は、さらに、
（ａ）前記ディレイ時間を変化させる毎に、前記照度計に前記測定領域の照度を測定させる処理を行うことにより、変化した各前記ディレイ時間である変化ディレイ時間に対応する前記測定領域の照度を取得し、
（ｂ）各前記変化ディレイ時間に対応する前記測定領域の照度に基づいて、前記オフ期間が発生するタイミングが前記規定タイミングとなるように、前記ディレイ時間を設定する
請求項１または２に記載のカラー位相調整システム。
【発明の詳細な説明】
【技術分野】
【０００１】
本発明は、カラーホイールを有する投写型画像表示装置のカラー位相を調整するカラー位相調整システムに関する。
【背景技術】
【０００２】
画像光を投写する投写型画像表示装置のためのカラー位相の制御技術としては、特許文献１、特許文献２、特許文献３および特許文献４に示される技術がある。
【０００３】
なお、カラーホイールによって白色光の時分割色分離により得られる赤色光、緑色光および青色光の各々が、光変調素子に照射されるタイミングと、光変調素子が使用する画像データを切り換えるタイミングとを合わせる必要がある。そのため、投写型画像表示装置には、一般的に、カラーホイールを回転させるモータの回転を検知するセンサが設けられる。
【０００４】
また、カラーホイールの回転検知のタイミングと、光変調素子が使用する各色の画像データの切り換えを行うシーケンス制御を実行するタイミングのディレイ時間（補正時間）とを調整することにより、同期が取られている。当該同期とは、回転検知のタイミングと、画像データの切り換えを行うシーケンスを実行するタイミングとの同期である。
【０００５】
以下においては、シーケンス制御で使用される色を、シーケンス制御色ともいう。上記の同期がずれている場合、すなわち、同期が取れていない場合、投写画面内において、その時間のシーケンス制御色と異なる色が一部混入することになる。また、同期のずれが大きくなるに従って、投写画面の端側から混色は発生する。
【０００６】
また、カラーホイールに形成される各色のフィルタの境界においては、隣り合った２つのフィルタにより得られる２つの色光が混ざる（混色する）。そのため、一般的に、シーケンス制御による、各色の切り換えの際は、一定のブランキング時間が設けられている。ブランキングは光のロスに当たる。そのため、ブランキング時間はなるべく短いことが望ましい。
【０００７】
また、カラー位相調整の技術は、特許文献１に開示されている技術（以下、関連技術Ａという）がある。関連技術Ａでは、フォトダイオードとオシロスコープを用いることにより、検査者が光信号の波形を観測する。
【０００８】
具体的には、関連技術Ａでは、カラーホイールから出射される光の光路中にフォトダイオードが設けられる。そして、検査者は、オシロスコープを使用して、フォトダイオードで測定された光の状態を示す光信号を観測し、光信号の状態に応じて、ディレイ時間（補正時間）を調整する。これにより、前述の同期、すなわち、色光の位相が調整される。
【０００９】
なお、カラーホイールによって得られる、単色光としての赤色光、緑色光および青色光の各々は強度が異なる。関連技術Ａでは、このことを利用して、カラーホイールから出射される光の強度を、フォトダイオードを使用して測定することにより、混色の発生の有無が判断される。
【００１０】
以下においては、複数種類の単色光が混ざった光を、複数色光ともいう。また、以下においては、複数色光に含まれる単色光が調整対象の光である場合において、複数色光のうち、調整対象の単色光以外の光を、混色光ともいう。混色光は、調整対象の単色光に混ざっている光である。
【先行技術文献】
【特許文献】
【００１１】
【特許文献１】特開２００６−０１１０８１号公報
【特許文献２】特開平９−１２７４３７号公報
【特許文献３】特開平８−０５１６３８号公報
【特許文献４】特開２００３−１６２００１号公報
【発明の概要】
【発明が解決しようとする課題】
【００１２】
しかしながら、関連技術Ａでは、以下のような問題点がある。具体的には、関連技術Ａでは、例えば、２つの単色光が混ざることにより複数色光が発生している場合、複数色光の状態を示す光信号に基づいて、ディレイ時間（補正時間）の調整、すなわち、色光の位相の調整が行われる。複数色光には、調整対象の単色光と、混色光とが含まれる。つまり、複数色光の状態を示す光信号は、調整対象の単色光の信号と混色光の信号とが合成された信号である。
【００１３】
そのため、関連技術Ａでは、複数色光が発生している場合、調整対象の単色光の信号と混色光の信号とが合成された光信号が観測されるため、精度の高い色の調整ができないという問題がある。したがって、精度の高い色の調整を行うためには、混色光の状態を把握（観測）する必要がある。
【００１４】
本発明は、このような問題を解決するためになされたものであり、混色光の状態を把握することが可能なカラー位相調整システムを提供することを目的とする。
【課題を解決するための手段】
【００１５】
上記目的を達成するために、本発明の一態様に係るカラー位相調整システムは、単色光である第１色光、第２色光および第３色光を含む白色光に対し時分割で色分離を行うことによって画像光をスクリーンに投写する投写型画像表示装置と、照射される光のうち調整対象の前記単色光以外の光を透過させる光学フィルタとを含む。前記投写型画像表示装置は、前記白色光を出射する光源と、前記白色光の光路中に設けられたカラーホイールと、を備え、前記カラーホイールには、前記第１色光、前記第２色光および前記第３色光を、それぞれ透過させる第１色フィルタ、第２色フィルタおよび第３色フィルタが配置され、前記投写型画像表示装置は、さらに、前記カラーホイールから出射される出力色光を使用して、該出力色光で構成される前記画像光を生成する機能を有する画像生成素子と、前記画像生成素子により生成された前記画像光が前記スクリーンに投写されるように、該画像光を出射する投写レンズとを備え、前記光学フィルタは、前記投写レンズが出射する前記画像光が該光学フィルタに照射されるように、前記カラーホイールより下流の光路に配置される。
【発明の効果】
【００１６】
カラーホイールは、一般的に、単色光と、異なる複数の単色光が混ざった複数色光とを交互に、出力色光として出射する。
【００１７】
本発明によれば、画像生成素子が前記画像光を生成するために使用した出力色光が複数色光である場合、投写レンズが出射する前記画像光は、複数色光で構成される。また、照射される光のうち調整対象の前記単色光以外の光を透過させる光学フィルタは、前記投写レンズが出射する前記画像光が該光学フィルタに照射されるように配置される。
【００１８】
そのため、光学フィルタは、画像光を構成する複数色光のうち、調整対象の単色光以外の光を透過させる。これにより、複数色光に含まれる単色光に混ざっていた混色光のみが抽出され、当該混色光がスクリーンに投写される。すなわち、混色光のみを抽出することができる。これにより、混色光の状態を容易に把握することができる。
【図面の簡単な説明】
【００１９】
【図１】本発明の実施の形態１に係る投写型画像表示装置の構成を示す図である。
【図２】本発明の実施の形態１に係るカラー位相調整システムの構成を示す図である。
【図３】カラーホイールの構成を示す図である。
【図４】各ディレイ時間における照度を示すグラフである。
【図５】変形例としてのカラーホイールの構成を示す図である。
【発明を実施するための形態】
【００２０】
以下、図面を参照しつつ、本発明の実施の形態について説明する。以下の説明では、同一の構成要素には同一の符号を付してある。それらの名称および機能も同じである。したがって、それらについての詳細な説明を省略する場合がある。
【００２１】
＜実施の形態１＞
図１は、本発明の実施の形態１に係る投写型画像表示装置１００の構成を示す図である。なお、説明のために、図１には、投写型画像表示装置１００に含まれない後述の光学フィルタ２２も示される。
【００２２】
図２は、本発明の実施の形態１に係るカラー位相調整システム１０００の構成を示す図である。カラー位相調整システム１０００は、スクリーンＳＣ１０と、投写型画像表示装置１００と、後述の光学フィルタ２２とを含む。
【００２３】
投写型画像表示装置１００は、詳細は後述するが、白色光に対し時分割で色分離を行うことによって画像光をスクリーンＳＣ１０に投写する。画像光とは、画像を構成する光である。スクリーンＳＣ１０は、画像光が投写される投写画面である。
【００２４】
まず、投写型画像表示装置１００について詳細に説明する。図１を参照して、投写型画像表示装置１００は、信号分離部１と、制御部２と、ランプ駆動部３と、回転駆動部４と、調整部５と、画像制御部６と、モータ１２と、センサ１０と、光学系１５０とを備える。
【００２５】
信号分離部１には、ビデオ信号が入力される。信号分離部１は、ビデオ信号を、同期信号と画像信号とに分離する。同期信号は、同期信号ＶＳＹＮＣを含む。同期信号ＶＳＹＮＣは、制御部２へ送信される。画像信号は、画像信号Ｒ，Ｇ，Ｂから構成される。画像信号Ｒ，Ｇ，Ｂは、画像制御部６に送信される。以下においては、画像信号Ｒ，Ｇ，Ｂの各々を、単色画像信号ともいう。単色画像信号は、単色の画像を示す信号である。
【００２６】
制御部２は、ランプ駆動部３、回転駆動部４、調整部５および画像制御部６を制御する。ランプ駆動部３は、後述のランプ８を制御する。回転駆動部４は、モータ１２の駆動制御を行う。
【００２７】
画像制御部６は、制御部２の制御に従い、後述の画像生成素子１８を制御する。
【００２８】
モータ１２は、回転部１３を介して、後述のカラーホイール１４に接続される。回転部１３は、円柱状の部材である。回転部１３は、モータ１２の回転軸と同軸に設けられている。モータ１２の回転に伴い、回転部１３も回転する。
【００２９】
センサ１０は、後述のマーク１１を検知する機能を有する。センサ１０は、マーク１１を検知した場合、検知した旨を示す検知信号を、調整部５へ送信する。
【００３０】
光学系１５０は、照明光学系１５１と結像光学系１５２とを備える。照明光学系１５１は、光源Ｌ１０と、ロッドレンズ９と、カラーホイール１４と、リレーレンズ１５，１６，１７とを含む。
【００３１】
光源Ｌ１０は、白色光を出射する。当該白色光は、単色光である赤色光、緑色光および青色光を含む。具体的には、光源Ｌ１０は、ランプ８と楕円鏡７とから構成される。ランプ８は、白色光を出射するランプである。ランプ８は、交流電流によって駆動される。楕円鏡７は、ランプ８が出射する白色光をロッドレンズ９へ導くように、当該白色光を反射する。
【００３２】
ロッドレンズ９は、光源Ｌ１０が出射した白色光の分布状態を均一にし、当該白色光を出射する。カラーホイール１４は、ロッドレンズ９が出射する白色光に対し時分割で色分離を行う。
【００３３】
図３は、カラーホイール１４の構成を示す図である。図３を参照して、カラーホイール１４の形状は、円盤状である。カラーホイール１４には、色フィルタ１４Ｒ，１４Ｇ，１４Ｂが配置される。図３のように、色フィルタ１４Ｒ，１４Ｇ，１４Ｂの各々は、互いに隣接するように円状に配置される。
【００３４】
色フィルタ１４Ｒは、白色光に含まれる赤色光のみを透過させる。色フィルタ１４Ｇは、白色光に含まれる緑色光のみを透過させる。色フィルタ１４Ｂは、白色光に含まれる青色光のみを透過させる。以下においては、色フィルタ１４Ｒ，１４Ｇ，１４Ｂの各々を、単色フィルタともいう。また、以下においては、カラーホイール１４を透過する光を、出力色光ともいう。
【００３５】
再び、図１を参照して、カラーホイール１４は、白色光の光路中に設けられる。カラーホイール１４は、出力色光（例えば、赤色光）を出射する。
【００３６】
カラーホイール１４は、回転するように構成される。具体的には、カラーホイール１４は、モータ１２によって、一定の周波数で回転するように構成される。カラーホイール１４は、回転することにより、単色光と、複数色光とを交互に、出力色光として出射する。単色光は、例えば、赤色光である。
【００３７】
複数色光は、複数の単色光が混ざった光である。具体的には、複数色光は、赤色光、緑色光および青色光の少なくとも２つが混ざった光である。例えば、色フィルタ１４Ｒと色フィルタ１４Ｇとの境界部分に、白色光が照射されるタイミングでは、カラーホイール１４は、赤色光と緑色光とが混ざった複数色光を出射する。すなわち、カラーホイール１４が出射する出力色光は、単色光または複数色光である。
【００３８】
なお、カラーホイール１４の回転に伴い、前述の回転部１３も回転する。回転部１３の表面の一部には、マーク１１が設けられている。マーク１１は、カラーホイール１４（回転部１３）の回転の状態を把握するためのマークである。
【００３９】
リレーレンズ１５，１６，１７は、カラーホイール１４が出射する光を結像光学系１５２へ効率良く伝搬させるためのレンズである。
【００４０】
結像光学系１５２は、フラットミラー１９と、凹面反射鏡２０と、画像生成素子１８と、投写レンズ２１とを含む。
【００４１】
フラットミラー１９は、リレーレンズ１５，１６，１７を通過する、カラーホイール１４が出射した出力色光を、凹面反射鏡２０へ反射させる。凹面反射鏡２０は、フラットミラー１９から照射された出力色光を、画像生成素子１８へ向けて反射する。すなわち、画像生成素子１８には、出力色光が照射される。
【００４２】
画像生成素子１８は、出力色光を使用して、画像光を生成する機能を有する素子である。画像生成素子１８は、出力色光の強度を変調させることにより、変調された出力色光で構成される画像光を生成する。すなわち、画像生成素子１８により生成される画像光は、出力色光で構成される。つまり、画像生成素子１８により生成される画像光は、出力色光の色を示す。
【００４３】
また、画像生成素子１８は、例えば、ＤＭＤ（Digital Micro mirror Device）等の反射型画像生成素子である。画像生成素子１８は、画像光を、投写レンズ２１へ向けて、出射する。画像生成素子１８は、画像制御部６により、当該画像生成素子１８に照射される出力色光が複数色光である期間は、原則、画像光の生成を行わないように制御される。
【００４４】
以下においては、画像生成素子１８が画像光を生成する期間を、オン期間ともいう。また、以下においては、画像生成素子１８が画像光を生成しない期間を、オフ期間またはブランキング期間ともいう。すなわち、画像生成素子１８では、オン期間と、オフ期間とが交互に繰り返される。
【００４５】
また、以下においては、オン期間が発生しているタイミングを、オン期間タイミングともいう。また、以下においては、オフ期間が発生しているタイミングを、オフ期間タイミングともいう。
【００４６】
また、以下においては、画像生成素子１８に照射される出力色光が単色光である期間を、単色光期間ともいう。また、以下においては、画像生成素子１８に照射される出力色光が複数色光である期間を、複数色光期間ともいう。
【００４７】
複数色光期間は、カラーホイール１４に配置される隣接する２つの単色フィルタの境界部分に、白色光が照射されている期間である。当該２つの単色フィルタは、例えば、色フィルタ１４Ｒ，１４Ｇである。複数色光期間は、カラーホイール１４が１回転する期間において、３回発生する。以下においては、画像生成素子１８により画像光の生成に使用される出力色光を、対象出力色光ともいう。
【００４８】
オフ期間タイミングが、各複数色光期間全体となるよう、画像生成素子１８は、制御部２により制御される。オフ期間タイミングが、各複数色光期間全体である場合、オン期間タイミングは、単色光期間内となる。この場合、対象出力色光は、単色光である。
【００４９】
画像生成素子１８は、オフ期間タイミングが、規定タイミングＴ０となるように、制御部２により制御される。当該規定タイミングＴ０は、複数色光期間にわたるタイミングである。オフ期間タイミングが、規定タイミングＴ０である場合、オン期間タイミングは、単色光期間内となる。この場合、対象出力色光は、単色光である。すなわち、規定タイミングＴ０は、画像生成素子１８により対象出力色光を単色光とするためのタイミングである。以下においては、スクリーンＳＣ１０のうち画像光が投写されている面を、画像光投写面ともいう。
【００５０】
なお、オフ期間（ブランキング期間）が短い程、画像光の輝度を高くすることができる。しかしながら、オフ期間が短い程、オフ期間タイミングが、規定タイミングＴ０からずれる場合がある。オフ期間タイミングが規定タイミングＴ０でない場合、オン期間タイミングは、複数色光期間内となる。この場合、対象出力色光は、複数色光である。
【００５１】
すなわち、画像生成素子１８において、オフ期間タイミングが規定タイミングＴ０でない場合、対象出力色光は複数色光である。つまり、画像生成素子１８において、オフ期間タイミングが規定タイミングＴ０でないことにより、対象出力色光が複数色光である場合、画像光投写面には、複数色領域が発生する。複数色領域とは、複数色光の色を示す領域である。
【００５２】
なお、画像生成素子１８から出射される画像光の光路には、凹面反射鏡２０の端部が存在する。当該凹面反射鏡２０の端部は、投写レンズ２１の瞳へ効率よく光を集光させる作用を有する。投写レンズ２１の瞳とは、投写レンズ２１の中心である。
【００５３】
投写レンズ２１は、画像生成素子１８により生成された画像光がスクリーンＳＣ１０に投写されるように、画像光を出射する。これにより、スクリーンＳＣ１０全面に、画像光が照射される。
【００５４】
次に、マーク１１が検知されたときに行われる処理について説明する。前述したように、センサ１０は、マーク１１を検知した時（場合）に、検知信号を、調整部５へ送信する。以下においては、センサ１０が、マーク１１を検知した時刻を、マーク検知時刻ともいう。検知信号は、マーク検知時刻において、瞬時に、調整部５へ送信される。すなわち、マーク検知時刻は、調整部５が検知信号を受信する時刻である。
【００５５】
調整部５は、ディレイ時間Δｔを、制御部２へ送信する。ディレイ時間Δｔとは、マーク検知時刻から、画像生成素子１８に所望の出力色光が照射されるまでの時間である。所望の出力色光は、例えば、単色光としての赤色光である。
【００５６】
以下においては、画像生成素子１８が画像光の生成を開始するタイミングを、画像光生成タイミングともいう。カラーホイール１４が１回転する間に、画像光生成タイミングは、３回発生する。１回目の画像光生成タイミングは、例えば、マーク検知時刻からディレイ時間Δｔだけ経過したタイミングである。
【００５７】
制御部２は、受信したディレイ時間Δｔに基づいて、画像制御部６が、画像光生成タイミングに画像生成素子１８に照射される出力色光に対応する単色画像信号を、画像生成素子１８へ送信するように、当該画像制御部６を制御する。
【００５８】
画像制御部６は、制御部２の制御に従い、画像光生成タイミングに画像生成素子１８に照射される出力色光に対応する単色画像信号を、画像生成素子１８へ送信する。すなわち、ディレイ時間Δｔは、単色画像信号の送信のタイミングを決めるための時間でもある。単色画像信号は、例えば、画像信号Ｒである。
【００５９】
ここで、一例として、画像光生成タイミングに画像生成素子１８に照射される出力色光が、赤色光であるとする。この場合、画像制御部６は、赤色光に対応する画像信号Ｒを、画像生成素子１８へ送信する。画像生成素子１８は、赤色光を使用して、画像信号Ｒが示す画像を構成する画像光ＬＲを生成する。画像光ＬＲは、赤色を示す単色の画像を構成する画像光である。画像生成素子１８は、画像光ＬＲを、投写レンズ２１へ向けて、出射する。これにより、スクリーンＳＣ１０に、画像光ＬＲが照射される。
【００６０】
なお、画像光生成タイミングに画像生成素子１８に照射される出力色光が、緑色光または青色光である場合も、上記と同様な処理が行われる。これにより、画像光ＬＧまたは画像光ＬＢが、スクリーンＳＣ１０に照射される。画像光ＬＧは、緑色を示す単色の画像を構成する画像光である。画像光ＬＢは、青色を示す単色の画像を構成する画像光である。
【００６１】
スクリーンＳＣ１０に、画像光ＬＲ，ＬＧ，ＬＢが順次照射されることにより、検査者は、画像光ＬＲ，ＬＧ，ＬＢの各々が合成された画像を認識する。
【００６２】
次に、本実施の形態に係るカラー位相調整システム１０００について具体的に説明する。
【００６３】
前述したように、オフ期間（ブランキング期間）が短い程、画像光の輝度を高くすることができる。しかしながら、オフ期間が短い程、オフ期間タイミングが、前述の規定タイミングＴ０からずれる場合がある。そのため、前述したように、画像生成素子１８において、オフ期間タイミングが規定タイミングＴ０でないことにより、対象出力色光が複数色光である場合、画像光投写面には、複数色領域が発生する。当該規定タイミングは、前述したように、複数色光期間にわたるタイミングである。
【００６４】
カラー位相調整では、ある一つの単色光（例えば、赤色光）が、調整対象の光とされる。以下においては、調整対象の単色光を、調整対象光ともいう。
【００６５】
本実施の形態では、混色光の状態を把握するために、以下の構成とする。まず、カラー位相調整システム１０００には、光学フィルタ２２が使用される。光学フィルタ２２の形状は、板状である。
【００６６】
光学フィルタ２２は、当該光学フィルタ２２に照射される光のうち調整対象光以外の光を透過させる。すなわち、光学フィルタ２２は、当該光学フィルタ２２に照射される光のうち調整対象光を除去する。つまり、光学フィルタ２２は、光の特定のスペクトル成分（調整対象光）のみを除去するフィルタである。
【００６７】
光学フィルタ２２は、投写レンズ２１が出射する画像光が光学フィルタ２２に照射されるように、カラーホイール１４より下流の光路に配置される。具体的には、図２のように、光学フィルタ２２は、投写レンズ２１が出射する画像光が光学フィルタ２２に照射されるように、投写レンズ２１における画像光の出射側に配置される。
【００６８】
また、投写型画像表示装置１００は、動作モードとして、通常モードおよび色調整モードを有する。通常モードは、投写型画像表示装置１００が、ビデオ信号に応じた画像光を出射するモードである。具体的には、通常モードの投写型画像表示装置１００は、外部から入力されるビデオ信号に応じた画像光を、スクリーンＳＣ１０へ投写する。
【００６９】
色調整モードは、調整対象光の色の位相を調整するためのモードである。すなわち、色調整モードは、カラーホイール１４の回転タイミングを調整するためのモードである。本実施の形態の構成は、色調整モードにおいて効果が発揮される。
【００７０】
次に、投写型画像表示装置１００の動作モードが、色調整モードである場合について説明する。色調整モードの投写型画像表示装置１００は、オフ期間タイミングが規定タイミングＴ０である場合、調整対象光から構成される画像光を、スクリーンＳＣ１０へ投写する。
【００７１】
この時、オフ期間タイミングの調整が正確であれば、スクリーンＳＣ１０の画像光投写面には、全体が黒の画像が表示される。しかしながら、オフ期間タイミングが、規定タイミングＴ０からずれている場合、クリーンＳＣ１０には、混色光が投写される。
【００７２】
ここで、一例として、画像生成素子１８においてオフ期間タイミングが規定タイミングＴ０からずれているとする。すなわち、画像生成素子１８においてオフ期間タイミングが規定タイミングＴ０でないとする。その結果、画像生成素子１８が画像光を生成するために使用した出力色光が複数色光であるとする。前述したように、複数色光のうち、調整対象光以外の光を、混色光ともいう。混色光は、調整対象光に混ざっている光である。
【００７３】
この場合、投写レンズ２１が出射する画像光は、複数色光で構成される。なお、前述したように、光学フィルタ２２は、投写レンズ２１が出射する画像光が光学フィルタ２２に照射されるように配置される。
【００７４】
そのため、光学フィルタ２２は、画像光を構成する複数色光のうち、調整対象光以外の光を透過させる。これにより、複数色光に含まれる単色光に混ざっていた混色光のみが抽出され、当該混色光がスクリーンＳＣ１０に投写される。すなわち、混色光のみを抽出することができる。
【００７５】
これにより、混色光の状態を容易に把握することができる。その結果、検査者は、肉眼（目視）によって、混色光のみを観測することができる。すなわち、検査者は、混色光の状態を正確に検査することができる。
【００７６】
また、混色光がスクリーンＳＣ１０に投写されている状態で、当該混色光の照度を、照度計により測定することにより、混色光の状態を定量的に評価することができる。
【００７７】
次に、本実施の形態において、ディレイ時間Δｔを設定するための処理（以下、ディレイ時間設定処理ともいう）について説明する。ディレイ時間設定処理を行うカラー位相調整システム１０００は照度計２３ａ，２３ｂを含む。照度計２３ａ，２３ｂは同一の機能を有する照度計である。
【００７８】
以下においては、照度計２３ａ，２３ｂの各々を、照度計２３ともいう。照度計２３は、照度を測定する機能を有する。各照度計２３は、投写型画像表示装置１００と通信可能なように構成される。照度計２３は、照度を測定する毎に、当該照度を、投写型画像表示装置１００へ送信する。これにより、制御部２は、照度計２３から送信される照度を受信する。なお、各照度計２３は、制御部２による制御に応じて動作する。
【００７９】
ディレイ時間設定処理を行う事前準備として、図２のように、画像光投写面内の複数色領域内における測定領域に、照度計２３が配置される。当該複数色領域は、対象出力色光が複数色光である場合に発生する領域である。複数色領域は、隣接する２つの単色フィルタにより得られる２つの単色光が混ざった複数色光を示す領域である。当該測定領域とは、照度の測定のための領域である。
【００８０】
なお、複数色光は、調整対象光と、当該調整対象光を得るための単色フィルタの一方側に隣接する単色フィルタにより得られる単色光とが混ざった光である。また、複数色光は、調整対象光と、当該調整対象光を得るための単色フィルタの他方側に隣接する単色フィルタにより得られる単色光とが混ざった光でもある。
【００８１】
そのため、投写型画像表示装置１００では、ディレイ時間Δｔが正常な値からずれている場合、上記の２種類の複数色光の一方が発生する。つまり、オフ期間タイミングが規定タイミングＴ０からずれ始める際、２種類の複数色光の一方が発生する。
【００８２】
なお、オフ期間タイミングが規定タイミングＴ０からずれ始める際、複数色領域は、画像光投写面の水平方向の端部から発生する。そのため、２つの照度計２３は、図２のように、画像光投写面内の端部（複数色領域）の２つの測定領域にそれぞれ配置される。２つの照度計２３は、それぞれ、該２つの測定領域の照度を測定する。２つの測定領域は、画像光投写面内の端部における、上部の領域および下部の領域である。
【００８３】
照度計２３は、照度を測定する毎に、当該照度を、投写型画像表示装置１００へ送信する。これにより、制御部２は、照度計２３から送信される照度を受信する。
【００８４】
制御部２は、ディレイ時間Δｔを変化させる機能を有する。ディレイ時間Δｔとは、前述したように、マーク検知時刻から、画像生成素子１８に所望の出力色光が照射されるまでの時間である。ディレイ時間Δｔが変化した場合、オフ期間タイミングおよびオン期間タイミングも変化する。
【００８５】
オフ期間タイミングは、前述したように、オフ期間が発生しているタイミングである。すなわち、オフ期間タイミングは、オフ期間が発生するタイミングでもある。つまり、ディレイ時間Δｔは、オフ期間タイミングを調整するための時間である。以下においては、変化したディレイ時間Δｔを、変化ディレイ時間ともいう。
【００８６】
ディレイ時間設定処理は、投写型画像表示装置１００の動作モードが、色調整モードである場合に行われる。ディレイ時間設定処理では、まず、照度測定処理が行われる。照度測定処理では、制御部２が、ディレイ時間Δｔを変化させる毎に、各照度計２３に測定領域の照度を測定させる処理を行う。
【００８７】
具体的には、制御部２は、ディレイ時間Δｔを所定値Ｋずつ変化させる毎に、２つの照度計２３にそれぞれ２つの測定領域の照度を測定させるよう、当該２つの照度計２３を制御する。所定値Ｋは、負または正の値である。所定値Ｋは、ディレイ時間Δｔに対する、必要な調整精度を加味して設定される。以下においては、測定領域の照度を、測定照度ともいう。
【００８８】
これにより、制御部２は、各変化ディレイ時間に対応する２つの測定照度を取得する。
【００８９】
照度測定処理の次に、グラフ形成処理が行われる。グラフ形成処理では、制御部２が、各変化ディレイ時間と、当該各変化ディレイ時間に対応する２つの測定照度の和とにより、特性線Ｌ１を生成する。以下においては、各変化ディレイ時間に対応する２つの測定照度の和を、照度ｌｄともいう。特性線Ｌ１は、例えば、図４に示される特性線Ｌ１である。特性線Ｌ１は、各ディレイ時間に対応する照度ｌｄを示す。
【００９０】
図４において、縦軸は、照度ｌｄである。横軸は、変化ディレイ時間である。図４の特性線Ｌ１が示す複数の照度ｌｄのうち、最小の複数の照度ｌｄは、オフ期間タイミングが前述の規定タイミングＴ０である状態で測定された照度である。以下においては、特性線Ｌ１が示す複数の照度ｌｄのうち、最小の照度ｌｄを、最小照度ともいう。特性線Ｌ１は、複数の最小照度を示す。
【００９１】
グラフ形成処理の次に、設定処理が行われる。設定処理では、要約すれば、制御部２は、各変化ディレイ時間に対応する照度ｌｄに基づいて、オフ期間タイミングが規定タイミングＴ０となるように、ディレイ時間Δｔを設定する。
【００９２】
設定処理では、まず、制御部２が、特性線Ｌ１が示す複数の最小照度を示す範囲に対応する各変化ディレイ時間の中央値を算出する。具体的には、制御部２は、特性線Ｌ１が示す複数の最小照度にそれぞれ対応する複数の変化ディレイ時間の平均値（中央値）を、設定ディレイ時間（設定値）として算出する。そして、制御部２は、画像生成素子１８の制御の際に使用するディレイ時間Δｔを、算出した設定ディレイ時間に設定する。
【００９３】
なお、設定ディレイ時間の算出方法は、上記に限定されず、他の算出方法であってもよい。
【００９４】
また、特性線Ｌ１が示す最小照度の数が、１である場合、当該１つの最小照度に対応する変化ディレイ時間が、画像生成素子１８の制御の際に使用するディレイ時間Δｔに設定される。
【００９５】
以上により、ディレイ時間設定処理は終了する。このディレイ時間設定処理が行われることにより、精度よく、オフ期間タイミングを、規定タイミングＴ０に合わせることができる。その結果、画像生成素子１８が生成する画像光に混色光が含まれないことを確実に実現できる。
【００９６】
以上説明したように、本実施の形態によれば、画像生成素子１８が画像光を生成するために使用した出力色光が複数色光である場合、投写レンズ２１が出射する画像光は、複数色光で構成される。また、照射される光のうち調整対象光以外の光を透過させる光学フィルタ２２は、投写レンズ２１が出射する画像光が光学フィルタ２２に照射されるように配置される。
【００９７】
そのため、光学フィルタ２２は、画像光を構成する複数色光のうち、調整対象光以外の光を透過させる。これにより、複数色光に含まれる単色光に混ざっていた混色光のみが抽出され、当該混色光がスクリーンＳＣ１０に投写される。すなわち、混色光のみを抽出することができる。これにより、混色光の状態を容易に把握することができる。
【００９８】
その結果、検査者は、肉眼（目視）によって、混色光のみを観測することができる。すなわち、目視検査工程において、検査者は、混色光の状態を正確に検査することができる。その結果、検査を容易にすることができる。したがって、検査者ごとの検査ばらつきを抑えることができる。また、目視による検査により、不良品の流出を確実に防ぐことが可能である。
【００９９】
また、混色光がスクリーンＳＣ１０に投写されている状態で、検査者は、当該混色光の照度を、照度計により測定する。これにより、画像光投写面における混色光の状態を定量的に評価することができる。例えば、カラー位相調整時における、画像光投写面における混色光の状態を定量的に評価することができる。
【０１００】
また、混色光がスクリーンＳＣ１０に投写されている状態で、検査者が、当該混色光の照度を、照度計により測定することにより、混色光のみの照度を正確に測定することができる。その結果、検査者は、正確に混色の存在しないタイミングを判断することが可能である。
【０１０１】
また、本実施の形態によれば、光学フィルタ２２によって抽出された混色光のみの照度を測定できる。そのため、照度計などの測定器で、正確に混色光の状態の判定を行うことが可能である。
【０１０２】
また、本実施の形態では、従来と異なり、光学フィルタ２２を投写型画像表示装置１００の光学系１５０の外に配置する。そのため、光学フィルタ２２の設置を容易にすることができる。その結果、カラー位相調整を容易に行うことができる。
【０１０３】
また、本実施の形態では、ディレイ時間設定処理が行われることにより、精度よく、オフ期間タイミングを、規定タイミングＴ０に合わせることができる。すなわち、オフ期間タイミングを、精度よく調整することができる。その結果、画像生成素子１８が生成する画像光に混色光が含まれないことを確実に実現できる。
【０１０４】
なお、前述したように、関連技術Ａでは、精度の高い色の調整ができないという問題がある。精度の高い色の調整を行うためには、混色光の状態を把握（観測）する必要がある。オフ期間タイミングが規定タイミングＴ０からずれ始める際、画像光投写面の端部に発生する複数色領域の光を観測する必要がある。
【０１０５】
また、関連技術Ａは、フォトダイオードを、光変調素子と投写レンズとの間、すなわち、光学系の内部に設置している。そのため、関連技術Ａでは、フォトダイオードの設置の手間がかかり、光学系を乱してしまう可能性も存在するという問題点がある。
【０１０６】
一方、本実施の形態では、上記のように構成されているため、関連技術Ａの上記問題を解決することができる。
【０１０７】
また、カラー位相調整では、スクリーンに、単色の画像光により構成される単色の画像（例えば、赤色の画像）が投写された状態で、混色光を観測する必要がある。なお、前述のブランキング時間を短くするほど、カラー位相の調整はシビアになり、混色が発生する正確なタイミングを定量的に観測することが求められる。また、画像光投写面の目視検査工程に関して、画像光投写面内の肉眼による混色光の発生の有無の判定は、正確さに欠ける不都合も存在する。
【０１０８】
一方、本実施の形態では、上記のように構成されているため、カラー位相調整の際における上記の問題点を解決することができる。
【０１０９】
なお、本実施の形態では、ディレイ時間Δｔの設定は、制御部２が行う構成としたが、この構成に限定されない。例えば、ディレイ時間Δｔの設定は、外部のＰＣ（Personal Computer）が行う構成（以下、変形構成Ａともいう）としてもよい。
【０１１０】
変形構成Ａでは、ＰＣが、投写型画像表示装置１００と通信可能に構成される。また、変形構成Ａでは、ＰＣが、制御プログラムに従って、前述の照度測定処理を行う。すなわち、変形構成Ａでは、ＰＣが、ディレイ時間Δｔを所定値Ｋずつ変化させる毎に、各照度計２３に、測定領域の照度を測定させるよう、当該各照度計２３を制御する。
【０１１１】
そして、ＰＣが、前述のグラフ形成処理と、ディレイ時間設定処理における設定ディレイ時間を算出する処理とを行い、ディレイ操作信号を、制御部２へ送信する。ディレイ操作信号は、画像生成素子１８の制御の際に使用するディレイ時間Δｔを、設定ディレイ時間に設定するための信号である。ディレイ操作信号を受信した制御部２は、ディレイ操作信号に従って、ディレイ時間Δｔを、算出した設定ディレイ時間に設定する。
【０１１２】
また、本実施の形態では、光学フィルタ２２は、投写レンズ２１における画像光の出射側に配置される構成としたがこれに限定されない。光学フィルタ２２は、光学系１５０内における光の光路のうち、カラーホイール１４より下流の光路であれば、どこに配置されてもよい。
【０１１３】
また、本実施の形態では、カラーホイール１４には、３つの単色フィルタが配置される構成としたがこれに限定されない。カラーホイール１４には、４つ以上の単色フィルタを配置する構成（以下、変形構成Ｂともいう）としてもよい。
【０１１４】
変形構成Ｂでは、例えば、図５のように、カラーホイール１４には、４つの単色フィルタを配置される。具体的には、カラーホイール１４には、色フィルタ１４Ｒ，１４Ｇ，１４Ｂ，１４Ｗが配置される。色フィルタ１４Ｗは、白色光を透過させるフィルタである。
【０１１５】
また、カラーホイール１４に配置される単色フィルタは、色フィルタ１４Ｒ，１４Ｇ，１４Ｂ，１４Ｗに限定されず、その他の色フィルタであってもよい。
【０１１６】
（その他の変形例）
以上、本発明に係るカラー位相調整システムについて、実施の形態に基づいて説明したが、本発明は、これら実施の形態に限定されるものではない。本発明の主旨を逸脱しない範囲内で、当業者が思いつく変形を本実施の形態に施したものも、本発明に含まれる。つまり、本発明は、その発明の範囲内において、実施の形態を適宜、変形、省略することが可能である。
【０１１７】
また、カラー位相調整システム１０００の投写型画像表示装置１００は、図１に示される全ての構成要素を含まなくてもよい。すなわち、投写型画像表示装置１００は、本発明の効果を実現できる最小限の構成要素のみを含めばよい。
【０１１８】
また、本発明は、カラー位相調整システム１０００が備える特徴的な構成部の動作をステップとするカラー位相調整方法として実現してもよい。また、本発明は、当該カラー位相調整方法に含まれる各ステップをコンピュータが実行してもよい。また、本発明は、そのようなカラー位相調整方法に含まれる各ステップをコンピュータに実行させるプログラムとして実現してもよい。また、本発明は、そのようなプログラムを格納するコンピュータ読み取り可能な記録媒体として実現されてもよい。また、当該プログラムは、インターネット等の伝送媒体を介して配信されてもよい。
【０１１９】
上記実施の形態で用いた全ての数値は、本発明を具体的に説明するための一例の数値である。すなわち、本発明は、上記実施の形態で用いた各数値に制限されない。
【０１２０】
また、本発明に係るカラー位相調整方法は、ディレイ時間設定処理に相当する。カラー位相調整方法における各処理の実行される順序は、本発明を具体的に説明するための一例であり、上記以外の順序であってもよい。また、カラー位相調整方法における処理の一部と、他の処理とは、互いに独立して並列に実行されてもよい。なお、本発明は、その発明の範囲内において、実施の形態を適宜、変形、省略することが可能である。
【０１２１】
例えば、複数色領域内における測定領域の数は、２に限定されず、１または３以上とする構成としてもよい。すなわち、複数色領域内に設置される照度計２３の数は、１または３以上とする構成（以下、変形構成Ｃともいう）としてもよい。
【０１２２】
変形構成Ｃは、例えば、複数色領域内における１つの測定領域に、１つの照度計２３を配置する構成である。この構成の場合、前述のディレイ時間設定処理の照度測定処理では、制御部２は、ディレイ時間Δｔを所定値Ｋずつ変化させる毎に、当該１つの照度計２３に測定領域の照度を測定させるよう、当該照度計２３を制御する。また、グラフ形成処理では、１つの照度計２３が測定した、各変化ディレイ時間に対応する照度を、照度ｌｄとして、特性線Ｌ１が生成される。そして、前述と同様に設定処理が行われる。
【符号の説明】
【０１２３】
２  制御部、１４  カラーホイール、１８  画像生成素子、２１  投写レンズ、２２  光学フィルタ、２３，２３ａ，２３ｂ  照度計、１００  投写型画像表示装置、１０００  カラー位相調整システム、Ｌ１０  光源、ＳＣ１０  スクリーン。
【図１】
2015075674.tif 000003
【図２】
2015075674.tif 000004
【図３】
2015075674.tif 000005
【図４】
2015075674.tif 000006
【図５】
2015075674.tif 000007